(57)【特許請求の範囲】
【請求項１】
装着時に足首の最細部を包囲する係止部と、前記係止部から爪先方向に連設され向こう臑と足甲との境界凹部および歩行方向に４５度下り勾配直線と踵との接点を通過して足を包囲する閉曲線よりも足首寄りの領域を包囲する引き上げ部とを当該靴下の他の部分より弾性係数の高い弾性材で形成し、前記閉曲線の位置に前記引き上げ部の下縁を配置したことを特徴とする靴下。
【請求項２】
前記係止部には前記閉曲線方向に当該係止部の他の部分より弾性係数の高い横向弾性材を配列し、前記引き上げ部には前記横向弾性材と交差方向に当該引き上げ部の他の部分より弾性係数の高い縦向弾性材を配列した請求項１記載の靴下。
【発明の詳細な説明】
【０００１】
【発明の属する技術分野】
本発明は、歩行中のずれ下がりを防止する機能を備えた靴下に関する。
【０００２】
【従来の技術】
靴下を着用した状態で靴を履いて歩行すると、歩行動作中に靴と靴下との間に生じる相互摺動によって靴下が徐々にずれ下がって不快に感じたり、立ち止まって靴下を引き上げざるを得なくなったりすることがある。このような歩行中の靴下のずれ下がりを防止するため様々な工夫が施された靴下が開発されているが、本発明に関連する靴下として特開平１０−２５１９０２号公報、実開昭６０−１３９０６号公報、実開平６−３３９０６号公報に開示されているものがある。
【０００３】
特開平１０−２５１９０２号公報に開示されている靴下は、靴下に編み込まれるゴムの引張力を足の部位が細い部分で強く、太い部分で弱くなるように、足の部位によって変化させたものであり、このような構成とすることによって足に対するフィット性を高め、歩行中のずれ下がりを防止するものである。
【０００４】
また、実開昭６０−１３９０６号公報、実開平６−３３９０６号公報に開示されている靴下は、足首部分および履き口部分に他の部分より収縮力の強いゴムを編み込むことによって足に対する係止力を高め、歩行中のすれ下がりを防止するものである。
【０００５】
【発明が解決しようとする課題】
図３（ａ）に示すように、靴下３０を足Ｆに装着して靴３１を履いた状態で歩行する場合、靴下３０は靴３１および足Ｆから様々な方向の力を受けるが、靴下３０がずれ下がる最大原因となる力は、図３（ｂ）に示す状態のときに受ける力Ｐであると考えられる。
【０００６】
歩行動作中、図３（ｂ）に示すように、左右いずれかの足Ｆが前方に傾いて地面Ｇを蹴ろうとするとき、足指の付け根部分Ｆｔが靴底３１ｂを介して地面Ｇを斜め後方へ押圧するとともに踵Ｆｈは靴３１から離脱する方向に動くので、靴下３０の踵部３０ｈは靴３１の踵部３１ｈ内面に沿って上方へ摺動し、このとき両者間に生ずる摩擦力により靴下３０は脱げる方向の力Ｐを受ける。歩行中、左右の靴下３０はこのような力Ｐを間欠的に受けるので、歩行時間が長引くにつれて靴下３０は徐々にずれ下がることとなる。
【０００７】
このような力Ｐで靴下３０がずれ下がるのを防止するため、前述した特開平１０−２５１９０２号公報、実開昭６０−１３９０６号公報、実開平６−３３９０６号公報に開示されている靴下においては、靴下に編み込まれるゴムの引張力を足の部位が細い部分で強くしたり、足首部分および履き口部分に他の部分より収縮力の強いゴムを編み込んだりしている。
【０００８】
しかしながら、歩行中に靴３１の踵部３１ｈ内面から靴下３０が受ける力Ｐは比較的強いため、前述した公報に開示されている靴下であっても十分に対処できず、長時間歩行すると徐々に靴下がずれ下がることがある。また、前述した公報に開示されている靴下は、履き口部分や足首部分あるいは細い部分に収縮力、引張力の強いゴムが配置されているため、靴下を履いたり、脱いだりする際に強い力が必要であり年配者などにとっては負担となっており、長時間装着していると圧迫感を受けることもある。
【０００９】
本発明が解決しようとする課題は、歩行中にずれ下がりが生じることがなく、着脱が容易で、装着中の圧迫感も極めて少ない靴下を提供することにある。
【００１０】
【課題を解決するための手段】
本発明の靴下は、装着時に足首の最細部を包囲する係止部と、前記係止部から爪先方向に連設され向こう臑と足甲との境界凹部および歩行方向に４５度下り勾配直線と踵との接点を通過して足を包囲する閉曲線よりも足首寄りの領域を包囲する引き上げ部とを当該靴下の他の部分より弾性係数の高い弾性材で形成し、前記閉曲線の位置に前記引き上げ部の下縁を配置したことを特徴とする。
【００１１】
この靴下を足に装着すると、係止部が足首の最細部付近を包囲し、これより爪先寄りの部分であって前記閉曲線よりも足首寄りの領域を引き上げ部が包囲するので、係止部は足首の最細部に固定され、引き上げ部はその上縁が係止部に固定されるとともに全体的には踵に沿って伸縮可能な状態となる。したがって、靴を履いて歩行している場合において、靴下の踵部などにずれ下がり方向の力を受けたとき係止部は動かずに引き上げ部が爪先方向に伸び、ずれ下がり方向の力が解除されると引き上げ部の収縮力によって引き上げられて直ちに元の状態に戻るので、歩行中にずれ下がりが生じることがない。
【００１２】
また、当該靴下の他の部分より弾性係数の高い弾性材は、前記係止部および引き上げ部のみに布設されているため、靴下を履いたり、脱いだりする動作を阻害することがなく、着脱性も良好である。前記係止部を形成する弾性材は足首の最細部付近に当接し、引き上げ部を形成する弾性材は比較的皮膚が厚い足踵部などに当接するので、装着中の圧迫感が極めて少なく、履き心地も良好である。
【００１３】
ここで、歩行方向に４５度下り勾配直線と踵部との接点および前記境界凹部を通過して足を包囲する閉曲線の位置に前記引き上げ部の下縁を配置することにより、踵付近における引き上げ部の下縁は足裏後端部より上方に位置することとなるため、ずれ下がり方向の力を受けたときに踵付近の引き上げ部の下縁が足裏後端部分に引っ掛かって収縮不能となるのを防止することができる。
【００１４】
また、前記係止部には前記閉曲線方向に当該係止部の他の部分より弾性係数の高い横向弾性材を配列し、前記引き上げ部には前記横向弾性材と交差方向に当該引き上げ部の他の部分より弾性係数の高い縦向弾性材を配列することにより、当該靴下を装着したとき、前記横向弾性材が足首の最細部に対する把持力を高め、前記縦向弾性材がずれ下がり方向の力に対する抗力および復元力を高めるので、ずれ下がり防止機能がさらに向上する。
【００１５】
【発明の実施の形態】
図１は本発明の実施の形態である靴下を足に装着した状態を示す側面図、図２は図１に示す靴下を装着して靴を履いた状態を示す透視図である。
【００１６】
図１に示すように、本実施形態の靴下１は一般の靴下と同形状であり、足Ｆに装着したときに足首付近を包囲する位置に、境界線２の上下に係止部１ａおよび引き上げ部１ｂが設けられている。係止部１ａおよび引き上げ部１ｂはいずれも当該靴下１の他の部分よりも弾性係数の高い弾性材で形成されている。
【００１７】
靴下１を足Ｆに装着すると、係止部１ａは足首の最細部を含む領域を包囲し、引き上げ部１ｂはそれより下方の領域を包囲する。引き上げ部１ｂの下縁は、向こう臑Ｆ２と足甲Ｆ３との境界凹部Ｆ４と、歩行方向Ｄに４５度下り勾配直線Ｌと踵Ｆ５との接点Ｓとを通過して足Ｆを包囲する閉曲線Ｃに沿って位置する。これにより、係止部１ａは足首の最細部を把持した状態で固定され、引き上げ部１ｂはその上縁が境界線２の位置で係止部１ａに固定されるとともに全体的には踵Ｆ５に沿って伸縮可能な状態となる。
【００１８】
したがって、図２に示すように、靴３を履いて地面Ｇ上を歩行している場合に、靴下１の踵部分などにずれ下がり方向の力Ｐを受けたとき、足首の最細部に固定されている係止部１ａは動かないので、踵Ｆ５付近に位置する引き上げ部１ｂが爪先Ｆ１方向に伸びるが、ずれ下がり方向の力Ｐが解除されると、引き上げ部１ｂを構成する弾性材の収縮力Ｖによって引き上げられ直ちに元の状態に戻るので、歩行中の靴下１のずれ下がりを阻止することができ、長時間歩行したり、歩行を伴う作業などを行ったりしてもずれ下がりが生じることがない。
【００１９】
靴下１の他の部分より弾性係数の高い弾性材は、係止部１ａおよび引き上げ部１ｂのみに布設されているため、靴下１を履いたり、脱いだりする動作を阻害することがなく、一般の靴下と同様の良好な着脱性を有している。係止部１ａを構成する弾性部材は足首の最細部付近に当接し、引き上げ部１ｂを構成する弾性部材は比較的皮膚が厚い踵Ｆ５の部分などに当接するので、装着中の圧迫感が極めて少なく、快適な履き心地が得られる。
【００２０】
また、靴下１においては、図１で示したように、引き上げ部１ｂの下縁１ｃを閉曲線Ｃに沿って配置することにより、踵Ｆ５部分において引き上げ部１ｂの下縁１ｃが足裏後端部Ｆ６より上方に位置するようにしているため、ずれ下がり方向の力Ｐを受けたときに踵付近の引き上げ部１ｂの下縁１ｃが足裏後端部Ｆ６に引っ掛かって収縮不能となるのを防止することができる。なお、踵Ｆ５部分における引き上げ部１ｂの下縁１ｃは、足裏後端部Ｆ６よりも足首寄りの領域であれば、さらに足裏後端部Ｆ６に近づけた位置に設けることもできる。
【００２１】
さらに、係止部１ａには閉曲線Ｃ方向に係止部１ａの他の部分より弾性係数の高い横向弾性材４を配列し、引き上げ部１ｂには横向弾性材４と交差方向に引き上げ部１ｂの他の部分より弾性係数の高い縦向弾性材５を配列しているため、靴下１を足Ｆに装着したとき、横向弾性材４が足首の最細部に対して優れた把持力を発揮し、縦向弾性材５の収縮力Ｖがずれ下がり方向の力Ｐに対する抗力および復元力を発揮することとなり、ずれ下がり防止機能の向上に有効である。
【００２２】
なお、本発明の靴下は、靴下全体の構成素材、サイズ、デザインなどについては何ら限定するものではないので、天然素材、人造素材を問わず、また、老若男女用の区別を問わず広く利用することができる。
【００２３】
【発明の効果】
本発明により、以下の効果を奏する。
【００２４】
（１）足首の最細部を包囲する係止部と、前記係止部から爪先方向に連設された引き上げ部とを当該靴下の他の部分より弾性係数の高い弾性材で形成することにより、係止部は足首の最細部に固定され、引き上げ部は踵などに沿って伸縮可能な状態となるため、歩行中のずれ下がりが生じることがなくなり、着脱は容易で、装着中の圧迫感も極めて少ないものとなる。
【００２５】
（２）歩行方向に４５度下り勾配直線と踵部との接点および向こう臑と足首との境界凹部を通過して足を包囲する閉曲線の位置に引き上げ部の下縁を配置することにより、ずれ下がり方向の力を受けたときに踵付近に位置する引き上げ部の下縁が足裏後端部分に引っ掛かって収縮不能となるのを防止することができる。
【００２６】
（３）前記係止部に前記閉曲線方向に弾性係数の高い横向弾性材を配列し、前記引き上げ部に前記横向弾性材と交差方向に弾性係数の高い縦向弾性材を配列することにより、横向弾性材が足首の最細部に対する把持力を高め、縦向弾性材がずれ下がり方向の力に対する抗力および復元力を高めるので、ずれ下がり防止機能がさらに向上する。
【図面の簡単な説明】
【図１】  本発明の実施の形態である靴下を足に装着した状態を示す側面図である。
【図２】  図１に示す靴下を足に装着し靴を履いた状態を示す透視図である。
【図３】  従来の靴下を足に装着し靴を履いた状態を示す透視図である。
【符号の説明】
１  靴下
１ａ  係止部
１ｂ  引き上げ部
１ｃ  下縁
２  境界線
３  靴
４  横向弾性材
５  縦向弾性材
Ｆ  足
Ｆ１  爪先
Ｆ２  向こう臑
Ｆ３  足甲
Ｆ４  境界凹部
Ｆ５  踵
Ｆ６  足裏後端部
Ｃ  閉曲線
Ｄ  歩行方向
Ｇ  地面
Ｓ  接点
Ｌ  直線
Ｐ  ずれ下がり方向の力
Ｖ  収縮力
【図１】
0003797933.tif 000002
【図２】
0003797933.tif 000003
【図３】
0003797933.tif 000004